(57)【要約】      （修正有）【課題】テントを張設又は収納する操作が容易で、雨天時には雨除けとなり晴天時には日除けとなる、ゴルフカート装着用雨除け兼日除けテントを提供する。【解決手段】略三角形状の屋根で平面視略「円字」形状の屋根部骨組み部と、ゴルフカートの型式に応じて取付部の形状を変えるようにした固設用棒体部とからなるシート張設用骨組み部、及び天井シート６に、側面シート７と、後面シート９とを設える。さらに、前記天井シートの下方に配設され、前記天井シートの縦方向の長さに相当する幅を有し、一端が前記天井シートの左右方向の中央部から左側の任意の位置で前記天井シートと縫合され他端が自由端であり、前記他端が前記天井シートの左端より延長された任意の位置までの長さを有する雨樋用シートとを連設して雨除け兼日除けテントとする。【選択図】図１
0003164255.tif 000002
【実用新案登録請求の範囲】
【請求項１】
座席を覆うルーフパネルと、前記座席部の後側にゴルフバックの積載が可能な荷台とを有するゴルフカートに装着可能な雨除け兼日除けテントであって、平面視で略「円」の字を右回転させた形状の棒体からなる構造で、右側面視で中央部が高く両側が低い略三角形の屋根形状で、正面視で中央部より左側が１段、右側が２段状態である屋根部骨組み部と、前記屋根部骨組み部の左端部において正面視で下方に延設された、又は正面視で左方向に延設された固設用棒体部とからなるシート張設用骨組み部、及び前記屋根部骨組み部の平面視における左右方向幅に相当する幅と縦方向長さに相当する長さを有する天井シートに、前記天井シートの左右方向幅に相当する幅を有し前記天井シート縦方向の両端部それぞれから荷台に積載したゴルフバックに到達するまでの側面を覆う長さを少なくとも有する長さの左右それぞれの側面シートと、前記天井シートの縦方向の長さに相当する幅を有し前記天井シート右端部から任意の高さまで垂下可能な長さを有する後面シートと、前記天井シートの下方に配設され、前記天井シートの縦方向の長さに相当する幅を有し、一端が前記天井シートの左右方向の中央部から左側の任意の位置で前記天井シートと縫合され他端が自由端であり、前記他端が前記天井シートの左端より延長された任意の位置までの長さを有する雨樋用シートとが連設されてなる雨除け兼日除けシート、とを含む構成部品からなることを特徴とするゴルフカート装着用雨除け兼日除けテント。
【請求項２】
屋根部骨組み部の左端部において正面視で下方に延設された固設用棒体部の、ゴルフカートの後側支柱に着接させて固設させる範囲の形状を、ゴルフカートの種々の後側支柱の形状に沿わせて着接可能な形状に形成することを特徴とする請求項１に記載のゴルフカート装着用雨除け兼日除けテント。
【請求項３】
屋根部骨組み部の左端部において正面視で下方に延設された固設用棒体部と屋根部骨組み部からなるシート張設用骨組み部の場合に、一端を前記固設用棒体部に他端を前記屋根部骨組み部に連結させた補強棒体を配設させたことを特徴とする請求項１又は２に記載のゴルフカート装着用雨除け兼日除けテント。
【請求項４】
雨除け兼日除けシートは、天井シートは天井シートの雨樋用シート装着側の端部がルーフパネル上部に設けられた組立用締結具に弾力性を有する紐で結紐されるように構成され、左右のそれぞれの側面シート及び後面シートはそれぞれ単独で天井シート側へ巻き取り可能に構成され、雨樋用シートは自由端部がルーフパネル後部のフレームに弾力性を有する紐で結紐され天井シート下に懸架可能に構成されることを特徴とする請求項１乃至３のいずれかに記載のゴルフカート装着用雨除け兼日除けテント。
【請求項５】
屋根部骨組み部の左端部において正面視で固設用棒体部が左方向に延設された場合で、かつ前記固設用棒体部がスライド可能に構成された場合には、屋根部骨組み部の正面視で中央部より左側が１段に相当する範囲に張設される、天井シート及び両側面それぞれの側面シートがジャバラ構造を有することを特徴とする請求項１又は４に記載のゴルフカート装着用雨除け兼日除けテント。
【考案の詳細な説明】
【技術分野】
【０００１】
本考案は、プレイヤー等が使用する座席部とゴルフバック用荷台部を有するゴルフカート後部に装着する雨除け兼日除けテントに関する。
【背景技術】
【０００２】
例えば、乗降が可能な座席部とゴルフバックの積載が可能な荷台部とを有するゴルフカートに用いられるゴルフバックの雨除け具であって、雨除けカバーと、この雨除けカバーの端部を前記座席部の後部の上方位置に固定するカバー固定部材と、前記荷台部の両側縁の上方に配置される左右のカバー支持腕とから成り、前記雨除けカバーは、左右のカバー支持腕の間隔に相応する幅及びカバー支持腕の長さに相応する長さを有する天井シートに、少なくとも、荷台部上の左右両側を覆う左右の側面シートと、荷台部の後方側を覆う後面シートとが、それぞれ連設されて成るゴルフバックの雨除け具に関する技術が開示されている（例えば特許文献１参照）。
【先行技術文献】
【特許文献】
【０００３】
【特許文献１】特開平１１−２１６２１５号公報
【考案の概要】
【考案が解決しようとする課題】
【０００４】
しかし、特許文献１に記載のゴルフバック用の雨除け具は、クラブを抜き出すときに、前記雨除け具の後面部のカバーを上方にめくり上げねばならないという問題があり、前記雨除け具の後面部のカバーを上方にめくり上げてもゴルフバックのクラブ取り出し又は収納用の開口部の上部には雨が降り込まないように雨除け用カバーの上面部が前記ゴルフバック後端位置よりさらに後方まで延設された状態であることから、プレイヤーが立った状態では上面部のカバーが邪魔になって収納されているクラブが見えにくい状態であるので、プレイヤーが前かがみで目線を低くしてクラブを選択して取り出さなければならないという問題があった。
【０００５】
また、プレイヤーがキャディをつけないでプレーする場合に急に雨が降り出したときには、カバー支持腕を旋回させて突設させ固定させてカバーを張設する手順を行わなければならないという複雑な操作をしなければならないため、雨除け具の取扱が初めてのプレイヤーは操作方法がわからず雨除け対策をすることができないという問題があった。
【０００６】
そして、雨が降り出したときに複雑な操作を行って雨除け具を設置した後に、雨天から晴天に変わると、再び複雑な操作をしてカバー及びカバー支持腕などを納置しなければならないという手順が複雑になる問題があった。
【０００７】
また、強い直射日光が射すときに、プレイヤー又はキャディが少しでも涼を求めたいと願っても、これに応えられないという問題があった。
【０００８】
そこで、本考案の目的は、テントを張設又は収納する操作が容易で、ゴルフバック及びクラブ取り出し時のプレイヤーの雨除けとなり、雨天時にプレイヤーは腰をかがめずに目線を低くせずに立った姿勢のままでクラブを選択して取り出すことができ、かつ晴天時には日除けとなる、ゴルフカート装着用雨除け兼日除けテントを提供することである。
【課題を解決するための手段】
【０００９】
「考案が解決しようとする課題」に記載した課題を解決するために、請求項１に記載のゴルフカート装着用雨除け兼日除けテント１の考案は、座席を覆うルーフパネル３０と、前記座席部の後側にゴルフバックの積載が可能な荷台３１とを有するゴルフカートに装着可能な雨除け兼日除けテント１であって、平面視で略「円」の字を右回転させた形状の棒体からなる構造で、右側面視で中央部が高く両側が低い略三角形の屋根形状で、正面視で中央部より左側が１段、右側が２段状態である屋根部骨組み部３と、前記屋根部骨組み部３の左端部において正面視で下方に延設された、又は正面視で左方向に延設された固設用棒体部４とからなるシート張設用骨組み部２、及び前記屋根部骨組み部３の平面視における左右方向幅に相当する幅と縦方向長さに相当する長さを有する天井シート６に、前記天井シート６の左右方向幅に相当する幅を有し前記天井シート６縦方向の両端部それぞれから荷台３１に積載したゴルフバックに到達するまでの側面を覆う長さを少なくとも有する長さの左右それぞれの側面シート７と、前記天井シート６の縦方向の長さに相当する幅を有し前記天井シート６右端部から任意の高さまで垂下可能な長さを有する後面シート９と、前記天井シート６の下方に配設され、前記天井シート６の縦方向の長さに相当する幅を有し、一端が前記天井シート６の左右方向の中央部から左側の任意の位置で前記天井シート６と縫合され他端が自由端であり、前記他端が前記天井シート６の左端より延長された任意の位置までの長さを有する雨樋用シート８とが連設されてなる雨除け兼日除けシート５、とを含む構成部品からなることを特徴とする。
【００１０】
請求項２に記載のゴルフカート装着用雨除け兼日除けテント１の考案は、請求項１において、屋根部骨組み部３の左端部において正面視で下方に延設された固設用棒体部４の、ゴルフカートの後側支柱１１に着接させて固設させる範囲の形状を、ゴルフカートの種々の後側支柱１１の形状に沿わせて着接可能な形状に形成することを特徴とする。
【００１１】
請求項３に記載のゴルフカート装着用雨除け兼日除けテント１の考案は、請求項１又は２において、屋根部骨組み部３の左端部において正面視で下方に延設された固設用棒体部４と屋根部骨組み部３からなるシート張設用骨組み部２の場合に、一端を前記固設用棒体部４に他端を前記屋根部骨組み部３に連結させた補強棒体２６、２７を配設させたことを特徴とする。
【００１２】
請求項４に記載のゴルフカート装着用雨除け兼日除けテント１の考案は、請求項１乃至３のいずれかにおいて、雨除け兼日除けシート５は、天井シート６は天井シート６の雨樋用シート８装着側の端部がルーフパネル３０上部に設けられた組立用締結具３４に弾力性を有する紐で結紐されるように構成され、左右のそれぞれの側面シート７及び後面シート９はそれぞれ単独で天井シート６側へ巻き取り可能に構成され、雨樋用シート８は自由端部がルーフパネル３０後部のフレームに弾力性を有する紐で結紐され天井シート６下に懸架可能に構成されることを特徴とする。
【００１３】
請求項５に記載のゴルフカート装着用雨除け兼日除けテント１の考案は、請求項１又は４において、屋根部骨組み部３の左端部において正面視で固設用棒体部４が左方向に延設された場合で、かつ前記固設用棒体部４がスライド可能に構成された場合には、屋根部骨組み部３の正面視で中央部より左側が１段に相当する範囲に張設される、天井シート６及び両側面それぞれの側面シート７がジャバラ構造を有することを特徴とする。
【考案の効果】
【００１４】
請求項１に記載の考案は、プレイヤーは雨に濡れない位置で、ゴルフクラブに覆い被さった雨で濡れたカバーをめくりあげることなく、また腰をかかめて目線を低くすることなく立った姿勢のままで目線を立った姿勢の高さで、すぐにクラブを選択でき容易にゴルフクラブを取り出すことができるという効果を奏する。
【００１５】
また、プレー中に急に雨が降り出したときには、天井シートが常時張設された状態なので、左右の側の側面シート７及び後側の後面シート９を垂下させるバンドを解くなどの簡単な操作だけでゴルフバックに対する雨除け対策を行うことができる。このため、あらかじめカバー支持腕などの操作方法の教育を受けなくとも誰でもすぐに雨除け対応ができるという効果を奏する。
【００１６】
ゴルフカートに装着した天井シート６は三角形状の屋根状に形成されるので、雨水が天井シート６上を流下しやすく、天井シート６上に雨水が溜まらないという効果を奏する。このため各シート巻取り時も雨水が周囲に飛散せず、作業する人がほとんど濡れないという効果を奏する。
【００１７】
そして、雨天時から晴天時に変わったとき、左右の側面シート７と後側の後面シート９を巻き取るのみですぐに収納ができるので、簡単で早く楽に収納作業ができるという効果を奏する。
【００１８】
さらに、晴天時も天井シート６は張設したままの状態であるので、強い日差しのときはキャディさんやプレイヤーに対する日除けとしても使用できるという効果を奏する。
【００１９】
左右の側面シート７や後側の後面シート９は、それぞれ縦方向の長さを自由に設定できるので、使用者側の要望に応じて自由に設定できるという効果を奏する。
【００２０】
請求項２の考案は請求項１の考案と同じ効果を奏する。さらに、ゴルフカートによっては、後部支柱１１の形状は、形状が直線状や曲線状であったり、設置状態が垂直方向に立設されたり、後方向にやや斜めに設置されたり、さらには左右の支柱間の幅がルーフパネル３０と略同じ幅であったり、又はルーフパネル３０より狭い幅であったりして、支柱の形状が異なっている。このため、固設用棒体部４の形状を後部支柱１１の形状に合わせて、後部支柱１１に沿って着接できる形状に変えるので、種々の形状の後部支柱１１にも固設ができるという効果を奏する。
【００２１】
請求項３の考案は請求項１または２の考案と同じ効果を奏する。さらに、張設された雨除け兼日除けテント５の重みに対して、屋根部骨組み部３に耐荷重性を高め前記屋根部骨組み部３に撓みや折損が生じないという効果を奏する。
【００２２】
請求項４の考案は請求項１乃至３のいずれかの考案と同じ効果を奏する。さらに、雨樋用シート８の設置によって、ルーフパネル３０から流下する雨水が車内の座席部に降りかからないという効果を奏する。
【００２３】
請求項５に記載の考案は請求項１又は４の考案と同じ効果を奏する。さらに、屋根部骨組み部３の一部をルーフパネル３０側にスライドさせて収納する構成の場合に、天井シート６及び側面シート７がジャバラ構造であるので折り畳みやすいので前記スライドが容易にできるという効果を奏する。また、収納時には天井シート６の後端がゴルフバックの上側開口部より前方に移動するので、ゴルフバックからクラブ取り出し時に開放感が生じるという効果を奏する。
【図面の簡単な説明】
【００２４】
【図１】本考案の雨除け兼日除けテントをゴルフカートに装着し組み立てたときの正面概要図である。
【図２】本考案の雨除け兼日除けテントをゴルフカートに装着し仕舞い込んだときの正面概要図である。
【図３】ゴルフカートの後端付近における天井シートの設置状況の平面概要図である。
【図４】シート張設用骨組み部の正面概要図である。
【図５】シート張設用骨組み部の平面概要図である。
【図６】シート張設用骨組み部の右側面概要図である。
【図７】異なる補強棒体を示すシート張設用骨組み部の正面概要図である。
【図８】図２におけるＡ−Ａ断面の概要図である。
【図９】取付ブラケットの正面概要図である。
【図１０】図２における取付ブラケットを変えたときのＡ−Ａ断面の概要図である。
【図１１】雨除け兼日除けテントの裏面概要図である。
【図１２】図３における雨除け兼日除けテントの前側のＣ−Ｃ断面を示す概要図である。
【図１３】固設用棒体部の形状が直線状の場合の図２におけるＢ方向から見た概要図である。
【図１４】固設用棒体部の形状が湾曲した形状の場合の図２におけるＢ方向から見た概要図である。
【図１５】固設用棒体部の形状を水平でかつ直線状とした場合のゴルフカートと屋根部骨組み部との正面概要図である。
【図１６】固設用棒体部の形状を水平でかつ直線状とした場合の屋根部骨組み部の正面概要図である。
【図１７】固設用棒体部の形状を水平で直線状とし、かつスライド構造とした場合の屋根部骨組み部の正面概要図である。
【考案を実施するための形態】
【００２５】
図１、図４及び図１１で説明する。本考案であるゴルフカート装着用雨除け兼日除けテント１は、着座のための座席と、座席を覆うルーフパネル３０と、ルーフパネル３０を前後で支持する前部支柱及び後部支柱１１を有し、座席部の後側にゴルフバックの積載が可能な荷台３１とを有するゴルフカートの前記後部支柱１１または前記ルーフパネル３０下方に装着可能な雨除け兼日除けテント１であって、シート張設用骨組み部２と雨除け兼日除けシート５とを含む構成部品からなる。
【００２６】
シート張設用骨組み部２は、図５に示すように平面視で略「円」の字を右回転させた形状の棒体からなる構造で、図６に示すように右側面視で中央部が高く両側が低い略三角形の屋根形状で、図４に示すように正面視で中央部より左側が１段、右側が２段状態である屋根部骨組み部３と、前記屋根部骨組み部３の左端部において、図３に示すように正面視で下方に延設された、又は図１５に示すように正面視で左方向に延設された固設用棒体部４とからなる。
【００２７】
屋根部骨組み部３について、図５乃至図６で説明する。屋根部骨組み部３の左端部において正面視で下方に延設された、又は正面視で左方向に延設された固設用棒体部４を構成する棒体と、屋根部骨組み部３の平面視で略「円」の字の外周部の「コ」字状を形成する水平棒体２１、三角屋根棒体２３及び水平棒体２２は、１本の棒体で形成する。ここで三角屋根棒体２３は、両端部が低く、中央部が最も高くなるように形成されている。
【００２８】
そして、前記三角屋根棒体２３の形状と同じ形状の三角屋根棒体２４を製作し、前記三角屋根棒体２４を水平棒体２１、２２の横方向の中央部に両端部を接して溶接し、前記溶接した三角屋根棒体２４の頂上部と前記三角屋根棒体２３の頂上部とを、１本の直線状の屋根棒体２５で接続させて溶接する。以上が屋根部骨組み部３の構成である。
【００２９】
さらに、屋根部骨組み部３の左端部において正面視で下方に延設された固設用棒体部４と屋根部骨組み部３からなるシート張設用骨組み部２の場合に、一端を前記固設用棒体部４に他端を前記屋根部骨組み部３に連結させた補強棒体２６を配設する。これによって、補強材としての効果が生じ屋根部骨組み部３の撓み又は破損が防止できる。
【００３０】
ここで、補強材としての補強棒体２６の形状は、曲線部を有する形状や図７に示すような直線状の補強棒体２７などの形状が考えられるがいずれの形状でもよく、ゴルフカートの支柱の位置や形状に応じて変える。例えば、ゴルフカートの左右の後側支柱１１の幅方向の位置が荷台３１の左右端の幅方向の位置と比較して同一か、内側か、又は外側かによって前記後側支柱１１部の左右間の幅と屋根部骨組み部３の幅が異なるので、前記後側支柱１１部に固設用棒体部４を着接させて固設用棒体部４の位置を定め、ルーフパネル３０の幅に合わせて屋根部骨組み部３の幅を定め、前記固設用棒体部４と前記屋根部骨組み部３の水平棒体２１、２２との間は他の構成部品と干渉しないように経路を変えて補強棒体２６又は補強棒体２７を配設する。
【００３１】
屋根部骨組み部３の左端部において正面視で下方に延設された固設用棒体部４の、ゴルフカートの後側支柱１１に着接させて固設させる範囲の形状を、ゴルフカートの種々の後側支柱１１の形状に沿わせて着接可能な形状に形成する。
【００３２】
これは、例えば、図１３に示すように後側支柱１１がルーフパネル３０の幅と略同じであることから略真直ぐに垂直に配設されている場合、又は図１４に示すように後側支柱１１がルーフパネル３０の幅より狭い幅で配設されていることから斜めに配設されている場合があるように、ゴルフカートの左右の後側支柱１１の幅方向の位置、または前記後側支柱１１の設置角度に垂直方向や斜め方向などのさまざまな設置角度があるので、前記後側支柱１１に沿わせて密接させるように、前記下方に延設された固設用棒体部４の形状を変える。
【００３３】
このとき、下方に延設された固設用棒体部４と屋根部骨組み部３と間は、前記固設用棒体部４と前記屋根部骨組み部３とを１本の棒体を延設させながら他の構成部品と干渉しないように経路を変えて配設する。
【００３４】
以上により、シート張設用骨組み部２は、屋根部骨組み部３がゴルフカートの型式が異なっても略同じ形状を有し、固設用棒体部４をゴルフカートの型式によって前記カートの後側支柱に沿わせるように形状を変更することによって、さまざまなゴルフカートへの装着が容易にできる。
【００３５】
図８乃至図１０で説明する。ゴルフカートの後側支柱１１と下方に延設された固設用棒体部４とを固設させるのは取付ブラケット１２で行う。前記取付ブラケット１２は、略「コ」字型形状であり、一端側が開放され、他端側が平面形状又は蝶番構造６２を有した形状である。後部支柱１１及びに取付ブラケット１２の開放側の平面部に同軸となる貫通穴６１を穿孔する。
【００３６】
そして、前記ブラケット１２の内側を後側支柱１１の外周面に接しながら押し込み、前記ブラケット１２の貫通孔６１と前記固設用棒体部４の貫通孔６１を一致させてボルトを挿入し締結する。前記締結箇所は少なくとも２カ所設ける。
【００３７】
また、図１５乃至図１７で示すように、固設用棒体部４が正面視で左方向に略真直ぐに延設される形状もある。このように固設用棒体部４の形状を変更することによって種々の型式のゴルフカートに装着できる。
【００３８】
固設用棒体部４を図１６に示すように棒体とした場合や、図１７に示すように筒状の中を棒体がスライド可能とした形状の場合があり、前記スライド可能とした形状の場合には雨除け兼日除けシート５収納時に前記シート５をゴルフカートの前後方向で短縮できる。
【００３９】
なお、前記固設用棒体部４は、ルーパネル３０後部に配設された横フレーム３２やルーフパネル３０の締結具３４などを利用して固設する。
【００４０】
シート張設用骨組み部２を形成する棒体は、材質はステンレスが軽量のため望ましいが他の金属でもよい。また、棒体の断面形状は、パイプ状が軽量で剛性を有しているので望ましいが、外形が四角形状や五角形など多角形状のいずれでもあればよく、また前記棒体に中空部が存しなくてもよい。
【００４１】
次に、図１１及び図１２で雨除け兼日除けシート５を説明する。雨除け兼日除けシート５は、屋根部骨組み部３の平面視における左右方向幅に相当する幅と縦方向長さに相当する長さを有する天井シート６に、前記天井シート６の左右方向幅に相当する幅を有し前記天井シート６縦方向の両端部それぞれから少なくとも荷台３１に積載したゴルフバックに到達するまでの側面を覆う長さを有する左右それぞれの側面シート７と、前記天井シート６の縦方向の長さに相当する幅を有し前記天井シート６右端部から任意の高さまで垂下可能な長さを有する後面シート９と、前記天井シート６の下方に配設され、前記天井シート６の縦方向の長さに相当する幅を有し、一端が前記天井シート６の左右方向の中央部から左側の任意の位置で前記天井シート６と熱溶着又は縫合され他端が自由端であり、前記他端が前記天井シートの左端より延長された任意の位置までの長さを有する雨樋用シートと８が連設されてなる。
【００４２】
天井シート６の材質は非透明のテント製造用の材質とすることにより、雨除けとともに日除けの効果も有する。また左右の側面シート７、後面シート９及び雨樋用シート８は透明でも非透明でもよい。
【００４３】
天井シート６は、不透明のテント用生地から製作されており、ゴルフカートに装着した状態で、前後中央部から前側の位置で雨樋用シート８と熱溶着又は縫合され、左右側の端部でそれぞれ側面シート７と熱溶着又は縫合され、後側の端部で後面シート９と熱溶着又は縫合されている。
【００４４】
図３で説明する。天井シート６の前端部には数箇所にゴム紐３３が縫着されており、前記ゴム紐３３がルーフパネル３０上に配設された締結ボルトなどの締結具３４に掛止され、前記ゴム紐３３の有する引張力で天井シート６の前端部が拡げられた状態となる。
【００４５】
また、天井シート６は常時張設されており、雨天時の雨除け、又は晴天時の日除けとして使用できる。
【００４６】
図１７に示すように固設用棒体部４の形状を筒状の中を棒体がスライド可能とした形状の場合においては、屋根部骨組み部３の正面視で中央部より左側が１段に相当する範囲に張設される天井シート６の部分の構造をジャバラ構造（図なし）とする。
【００４７】
雨樋用シート８は、透明なシート生地又は不透明なテント生地から製作されており、ゴルフカートに装着した状態で、雨樋用シート８の後端３８は天井シート６の前後中央部から前側の位置で天井シート６と熱溶着又は縫合され、雨樋用シート８の前端縁部３６は自由端であり、前記前端縁部３６には縁部に沿って直線状の棒体３７が装着され、前記前端縁部３６には略等間隔で３箇所に２本組の紐３５が縫着されている。
【００４８】
装着された前記直線状の棒体３７で雨樋用シート８の自由端部を真直ぐに揃えることができ、前記数箇所に縫着した２本組の紐３５で、雨樋用シート８をゴルフカートの後端の横フレーム３２に結着することにより、雨樋用シート８をＵ字型の雨樋形状に形成することができる。これによって、ルーフパネル３０から流下した雨水を両側に排出することによって座席側への侵入を防止することができる。
【００４９】
次に、左右の側面シート７は、透明なシート生地又は不透明なテント生地から製作されており、ゴルフカートに装着した状態で、上端縁部４１は天井シート６と熱溶着又は縫合され、かつ上端縁部４１には上端縁部４１を屋根部骨組み部３へ締着させるための取付バンド４２が数箇所縫着されている。前記取付バンド４２により、左右の側面シート７の上端縁部４１が屋根部骨組み部３の水平棒体２１、２２に固定される。そして、側面シート７を巻き取ったときの巻き取り状態で固定するための固定バンド４３が側面シート７の上端縁部４１の数箇所に縫着されている。
【００５０】
また、左右の側面シート７の下端縁部４５には縁部に沿って直線状の棒体４４が装着され、下端縁部４５の両端に取付バンド４６が縫着されている。前記取付バンド４６をゴルフカートや荷台３１の適所に引っかけることにより、左右の側面シート７の下端部を拡げ、さらに前側上部には前端縁部に少なくとも１箇所の取付バンド４７を縫着し、前記取付バンド４７を後部支柱１１などのゴルフカートの適所に引っかけることによって左右の側面シート７を拡げている。
【００５１】
図１７に示すように固設用棒体部４の形状を筒状の中を棒体がスライド可能とした形状の場合においては、屋根部骨組み部３の正面視で中央部より左側が１段に相当する範囲に張設される左右の側面シート７の部分の構造をジャバラ構造（図なし）とする。
【００５２】
次に、後面シート９は、透明なシート生地又は不透明なテント生地から製作されており、ゴルフカートに装着した状態で、上端縁部は天井シート６と熱溶着又は縫合され、かつ上端縁部５１には上端縁部５１を屋根部骨組み部３へ締着させるための取付バンド５２が数箇所に縫着されている。
【００５３】
また、後面シート９は、自由端部を上方に折り曲げて止着させるための面ファスナー５３が数カ所設けられており、折り曲げたときは天井シート６の後端縁部５１に設けられた面ファスナー５４と前記面ファスナー５３とを互いに接合することにより、後面シート９を止着させる。よって、後面シート９は容易に折り畳み固定することができる。
【００５４】
次に、ゴルフカートに、ゴルフカート装着用雨除け兼日除けテント１の装着方法及び使用方法について説明する。
【００５５】
まず、ゴルフカートにシート張設用骨組み部２を装着する。あらかじめ装着するゴルフカートの後部支柱１１の形状に密着して沿うように固設用棒体部４の形状を前記後部支柱１１の形状に合わせて製作する。屋根部骨組み部３の形状はゴルフバック３つ用、又は４つ用で幅が異なる以外はゴルフカートの型に関わらず略同じである。したがって、前記固設用棒体部４と屋根部骨組み部３の水平棒体２１，２２との間を繋ぐ経路部の形状はゴルフカートの構造物に干渉しないように製作する。
【００５６】
次に、シート張設用骨組み部２の固設用棒体部４を後部支柱１１に密着させ、取付ブラケット１２の内面と後部支柱１１の外面を接触させて、取付ブラケット１２を押し付け、固設用棒体部４の貫通孔６１と取付ブラケット１２の貫通孔６１を連通させるようにしてボルト・ナットの締結具で締め付ける。これによって、後部支柱１１にシート張設用骨組み部２が固設される。
【００５７】
次に、雨除け兼日除けシートをシート張設用骨組み部２の上部に天井シート６を拡げて載置し、天井シートの前側については、ゴム紐３３をルーフパネル３０上面に顕れている締結具３４に引っ掛けて、天井シート６の前側を拡げて保持する。
【００５８】
雨樋用シートは、自由端側をゴルフカートの後部の上部にある横フレームに紐３５で結紐する。
【００５９】
次に、左右の側面シートは、上端縁部４１にある紐４２で水平棒体２１、２２に結紐する。そして、前側上部にある取付バンド４７を後部支柱１１に結びつけ、下端縁部４５には棒体４４が組み込まれ、下端縁部４５近傍に存する取付バンド４６によってゴルフカートの適所に縫着される。これにより、側面シートを拡げることができる
【００６０】
次に、後面シート９は上端縁部５１に縫着された紐５２を屋根部骨組み部３の三角屋根棒体２３に縫着し、垂下させる。
【００６１】
以上で、雨除け兼日除け用のシートの張設が終了し、図１に示すような雨除け兼日除け用のシートの張設状態となる。
【００６２】
次にシートの仕舞い方について説明する。天井シート６及び雨樋用シート８は雨天時も晴天時もそのままとする。これにより夏日などの暑い日には日除けとすることができる。
【００６３】
後面シートは上下方向で半分に折り畳んで面ファスナー５２、５３で接合させて固定する。
【００６４】
左右の側面シートは、取付バンド４６、４７を緩めて解き、下方から巻き上げて固定バンド４３で結紐して固定する。以上で、図２に示すような雨除け兼日除け用のシートの収納状態となり、このような雨天時から晴天時になったときに行う作業は特に操作の教育を受けなくとも誰でも極めて容易にできる。
【符号の説明】
【００６５】
１    ゴルフカート装着用雨除け兼日除けテント
２    シート張設用骨組み部
３    屋根部骨組み部
４    固設用棒体部
５    雨除け兼日除けシート
６    天井シート
７    側面シート
８    雨樋用シート
９    後面シート
１１    後部支柱
１２    取付ブラケット
２１    水平棒体
２２    水平棒体
２３    三角屋根棒体
２４    三角屋根棒体
２５    屋根棒体
２６    補強棒体
２７    補強棒体
３０    ルーフパネル
３１    荷台
３２    横フレーム
３３    ゴム紐
３４    締結具
３５    紐
３６    前端縁部
３７    棒体
４１    上端縁部
４２    紐
４３    固定バンド
４４    棒体
４５    下端縁部
４６    取付バンド
５１    上端縁部
５２    紐
５３    面ファスナー
５４    面ファスナー
６１    貫通孔
６２    蝶番
【図１】
0003164255.tif 000003
【図２】
0003164255.tif 000004
【図３】
0003164255.tif 000005
【図４】
0003164255.tif 000006
【図５】
0003164255.tif 000007
【図６】
0003164255.tif 000008
【図７】
0003164255.tif 000009
【図８】
0003164255.tif 000010
【図９】
0003164255.tif 000011
【図１０】
0003164255.tif 000012
【図１１】
0003164255.tif 000013
【図１２】
0003164255.tif 000014
【図１３】
0003164255.tif 000015
【図１４】
0003164255.tif 000016
【図１５】
0003164255.tif 000017
【図１６】
0003164255.tif 000018
【図１７】
0003164255.tif 000019